(57)【要約】【課題】被敷設体に対して、防水シートを作業性良く敷設することが可能な防水シートの敷設方法を提供する。【解決手段】多数の係止用突起３を有する面ファスナー部材１、不透水性層１３と前記係止用突起３に係止される被係止部を有する透水性層１２とが積層された防水シート１１、及び、一方の面に突出部６を有する固定部材４を準備する工程と、面ファスナー部材１を被敷設体２１と固定部材４の他方の面とで挟むように、被敷設体２１上に面ファスナー部材１及び固定部材４を配置する工程と、被敷設体２１上に配置した面ファスナー部材１を固定部材４及び固定具７を用いて固定する工程と、防水シート１１を面ファスナー部材１に押し当てて防水シート１１の被係止部を面ファスナー部材１に係止する工程と、を有する防水シートの敷設方法により上記課題を解決する。【選択図】図１
2014058827.tif 000002
【特許請求の範囲】
【請求項１】
被敷設体に防水シートを敷設する防水シートの敷設方法であって、
多数の係止用突起を有する面ファスナー部材、不透水性層と前記係止用突起に係止される被係止部を有する透水性層とが積層された防水シート、及び、一方の面に突出部を有する固定部材、を準備する工程と、
前記面ファスナー部材を前記被敷設体と前記固定部材の他方の面とで挟むように、前記被敷設体上に前記面ファスナー部材及び前記固定部材を配置する工程と、
前記被敷設体上に配置した前記面ファスナー部材を前記固定部材及び固定具を用いて固定する工程と、
前記防水シートを前記面ファスナー部材に押し当てて前記防水シートの前記被係止部を前記面ファスナー部材に係止する工程と、を有することを特徴とする防水シートの敷設方法。
【請求項２】
前記面ファスナー部材が帯状であり、前記面ファスナー部材の長さ方向に複数の前記固定部材を配置する、請求項１に記載の防水シートの敷設方法。
【請求項３】
前記被敷設体が、トンネルの地山又は該地山の表面に形成したコンクリート層である、請求項１又は２に記載の防水シートの敷設方法。
【請求項４】
前記防水シートを前記面ファスナー部材に係止する工程の後に、前記防水シートの上にコンクリート層を設ける工程を有する、請求項１〜３のいずれか１項に記載の防水シートの敷設方法。
【請求項５】
被敷設体に防水シートを敷設するために、前記防水シートを係止する面ファスナー部材を前記被敷設体に固定する固定部材であって、
板状部と、該板状部の一方の面に設けられた突出部とを有することを特徴とする固定部材。
【請求項６】
前記突出部が、前記板状部の端部を折り曲げて又は丸めて形成されている、請求項５に記載の固定部材。
【発明の詳細な説明】
【技術分野】
【０００１】
本発明は、防水シートの敷設方法及びそれに用いる固定部材に関し、更に詳しくは、トンネルの地山又はその地山の表面に形成したコンクリート層等の被敷設体に防水シートを作業性良く敷設することができる防水シートの敷設方法、及び被敷設体に防水シートを作業性良く敷設するために、その防水シートを係止する面ファスナー部材を被敷設体に固定する固定部材に関する。
【背景技術】
【０００２】
ＮＡＴＭ（Ｎｅｗ  Ａｕｓｔｒｉａｎ  Ｔｕｎｎｅｌｉｎｇ  Ｍｅｔｈｏｄ）工法等においては、トンネルの一次覆工コンクリートと二次覆工コンクリートとの間に防水シートを設ける工法が知られている。この工法では、防水シートを一次覆工コンクリートの表面に敷設し、この防水シートの上に二次覆工コンクリートを打設する。防水シートは、一次覆工コンクリート側からの湧水が二次覆工コンクリート側に漏水するのを防ぐために設けられている。
【０００３】
防水シートを敷設する方法は今までに種々検討されている。例えば特許文献１には、片面に多数の係止用突起が設けられた面ファスナーを備え、係止用突起が二次覆工コンクリート側となるようにトンネルの地山又は一次覆工コンクリート面に固着されると共に、不透水性シートに上記係止用突起に係合される被係合部を有する透水性シートが積層された防水シートの上記被係合部と係合することにより、上記防水シートを係止する防水シートの固定用部材において、面ファスナーをトンネルの地山又は一次覆工コンクリート面に固着される帯体に長手方向に沿って所定間隔離間して複数枚取り付けた固定用部材が提案されている。この技術によれば、防水シートをトンネルの一次覆工コンクリート面等の施工壁に張設、固定してトンネルの防水施工を行う際に、防水シートを張設、固定する際の作業性に優れ、施工壁に凹凸があっても防水シートの固定強度に優れるとされている。
【０００４】
また、特許文献２には、片面に多数の係止用突起が設けられた帯状の面ファスナーがトンネルの施工壁に固着するための帯状の保持部材の二次覆工コンクリート側の面に重ね合わされ、これらが長さ方向に沿って所定間隔離間した複数箇所でかしめ部材によって取り付けられた固定用部材を係止用突起が二次覆工コンクリート側となるようにトンネルの施工壁に固着させ、不透水性シートに係止用突起に係合される被係合部を有する透水性シートが積層された防水シートの上記被係合部と係合させて、防水シートを施工壁に張設、固定する固定用部材が提案されている。この技術によれば、防水シートをトンネルの施工壁に張設、固定してトンネルの防水施工を行う際に、張設、固定する際の作業性に優れるのみならず、施工壁に凹凸があっても防水シートの固定強度に優れ、また、固定用部材自体の強度にも優れるとされている。
【先行技術文献】
【特許文献】
【０００５】
【特許文献１】特開２０００−８７７００号公報
【特許文献２】特開２０００−２７４１９５号公報
【発明の概要】
【発明が解決しようとする課題】
【０００６】
上記特許文献１，２で提案されている防水シートの敷設方法では、トンネルの地山又は一次覆工コンクリートに面ファスナーを固着させている。そして、この面ファスナーに防水シートを係止することで、防水シートをトンネルの地山又は一次覆工コンクリートに敷設している。こうした面ファスナーに防水シートを係止するためには、防水シートの上から面ファスナーの位置を正確に押し当てる必要がある。
【０００７】
しかしながら、防水シートを構成する透水性層には透視し難い織布や不織布が用いられていることから、上記特許文献１，２で提案されている防水シートの固定用部材では、防水シートの上から面ファスナーは見えず、その位置を探すことが難しかった。そのため、防水シートの上から面ファスナーの位置を把握して押し当てることが難しく、作業効率が低下する原因となっていた。
【０００８】
本発明は、上記課題を解決するためになされたものであって、その目的は、被敷設体に対して、防水シートを作業性良く敷設することができる防水シートの敷設方法を提供することにある。また、本発明の他の目的は、被敷設体に防水シートを作業性良く敷設することができる固定部材を提供することにある。
【課題を解決するための手段】
【０００９】
（１）上記課題を解決するための本発明に係る防水シートの敷設方法は、被敷設体に防水シートを敷設する防水シートの敷設方法であって、多数の係止用突起を有する面ファスナー部材、不透水性層と前記係止用突起に係止される被係止部を有する透水性層とが積層された防水シート、及び、一方の面に突出部を有する固定部材、を準備する工程と、前記面ファスナー部材を前記被敷設体と前記固定部材の他方の面とで挟むように、前記被敷設体上に前記面ファスナー部材及び前記固定部材を配置する工程と、前記被敷設体上に配置した前記面ファスナー部材を前記固定部材及び固定具を用いて固定する工程と、前記防水シートを前記面ファスナー部材に押し当てて前記防水シートの前記被係止部を前記面ファスナー部材に係止する工程と、を有することを特徴とする。
【００１０】
この発明によれば、面ファスナー部材を、突出部を有する固定部材を用いて固定するので、その突出部によって防水シートの上から触感によって固定部材の位置を容易に探し当てることができる。そのため、防水シートの上から面ファスナー部材の位置を容易に把握することができるので、防水シートを面ファスナー部材に正確に押し当てることができる。その結果、防水シートを作業性良く被敷設体に敷設することができる。
【００１１】
本発明に係る防水シートの敷設方法において、前記面ファスナー部材が帯状であり、前記面ファスナー部材の長さ方向に複数の前記固定部材を配置することが好ましい。
【００１２】
この発明によれば、帯状の面ファスナー部材の長さ方向に複数の固定部材を配置するので、帯状の面ファスナー部材の位置を容易に把握することができる。そのため、防水シートを面ファスナー部材に正確に押し当てることができる。
【００１３】
本発明に係る防水シートの敷設方法において、前記被敷設体が、トンネルの地山又は該地山の表面に形成したコンクリート層であることが好ましい。
【００１４】
この発明によれば、トンネルの地山又はその地山の表面に形成したコンクリート層に防水シートを作業性良く敷設することができる。
【００１５】
本発明に係る防水シートの敷設方法において、前記防水シートを前記面ファスナー部材に係止する工程の後に、前記防水シートの上にコンクリート層を設ける工程を有することが好ましい。
【００１６】
この発明によれば、防水シートの上にコンクリート層を設けるので、被敷設体とコンクリート層との間に防水シートを敷設することができる。
【００１７】
（２）上記課題を解決するための本発明に係る固定部材は、被敷設体に防水シートを敷設するために、前記防水シートを係止する面ファスナー部材を前記被敷設体に固定する固定部材であって、板状部と、該板状部の一方の面に設けられた突出部とを有することを特徴とする。
【００１８】
この発明によれば、板状部の一方の面に突出部を有するので、その突出部の位置は防水シートの上から触感によって容易に探し当てることができる。この固定部材は面ファスナー部材の上に配置されるので、その固定部材の位置を容易に探し当てることができることにより、防水シートの上から面ファスナー部材の位置を正確に把握することができる。その結果、防水シートを面ファスナー部材に正確に押し当てることができ、防水シートを作業性良く被敷設体に敷設することができる。
【００１９】
本発明に係る固定部材において、前記突出部が、前記板状部の端部を折り曲げて又は丸めて形成されていることが好ましい。
【００２０】
この発明によれば、突出部が板状部の端部を折り曲げて又は丸めて形成されているので、固定部材は製造し易い構造形態を有している。その結果、低コストで製造できる固定部材を提供できる。
【発明の効果】
【００２１】
本発明に係る防水シートの敷設方法及びそれに用いる固定部材によれば、被敷設体に対して、防水シートを簡便に作業性良く敷設することができる。
【図面の簡単な説明】
【００２２】
【図１】本発明に係る防水シートの敷設方法の一例を示す工程図である。
【図２】本発明に係る固定部材の種々の形態（その１）を示す模式的な斜視図である。
【図３】本発明に係る固定部材の種々の形態（その２）を示す模式的な斜視図である。
【図４】面ファスナー部材を固定部材で固定する態様の一例を示す模式的な斜視図である。
【図５】防水シートの上からコンクリート層を設けた態様を示す模式的な断面図である。
【発明を実施するための形態】
【００２３】
以下に、本発明に係る防水シートの敷設方法及びそれに用いる固定部材について、図面を参照して詳しく説明する。なお、本発明は、その技術的特徴を有すれば種々の変形が可能であり、以下に具体的に示す実施形態に限定されるものではない。
【００２４】
本発明に係る防水シート１１の敷設方法は、図１（Ａ）〜（Ｃ）に示すように、被敷設体２１に防水シート１１を敷設する方法であり、多数の係止用突起３を有する面ファスナー部材１、不透水性層１３と係止用突起３に係止される被係止部を有する透水性層１２とが積層された防水シート１１、及び、一方の面に突出部６を有する固定部材４を準備する工程（準備工程）と、面ファスナー部材１を被敷設体２１と固定部材４の他方の面とで挟むように、被敷設体２１上に面ファスナー部材１及び固定部材４を配置する工程（配置工程）と、被敷設体２１上に配置した面ファスナー部材１を固定部材４及び固定具７を用いて固定する工程（固定工程）と、防水シート１１を面ファスナー部材１に押し当てて防水シート１１の被係止部を面ファスナー部材１に係止する工程（係止工程）と、を有している。
【００２５】
さらにこの敷設方法は、図５に示すように、防水シート１１を面ファスナー部材１に係止する工程の後に、防水シート１１の上にコンクリート層１５を設ける工程（コンクリート層打設工程）を有することが好ましい。
【００２６】
また、本発明に係る防水シート１１の敷設方法では、固定部材４の構造形態にも特徴がある。その固定部材４は、被敷設体２１に防水シート１１を敷設するために、防水シート１１を係止する面ファスナー部材１を被敷設体２１に固定する部材であり、図１〜図５に示すように、板状部５と、板状部５の一方の面に設けられた突出部６とを有している。
【００２７】
こうした防水シート１１の敷設方法によれば、面ファスナー部材１を、一方の面に突出部６を有する固定部材４を用いて固定するので、その突出部６によって防水シート１１の上から触感によって固定部材４の位置を容易に探し当てることができる。そのため、防水シート１１の上から面ファスナー部材１の位置を容易に把握することができるので、防水シート１１を面ファスナー部材１に正確に押し当てることができる。その結果、防水シート１１を作業性良く被敷設体２１に敷設することができる。
【００２８】
以下、本発明に係る防水シート１１の敷設方法について図面を参照しつつ、各工程を順に説明する。なお、各工程の説明の中で、本発明に係る固定部材４も併せて説明する。
【００２９】
［準備工程］
準備工程は、多数の係止用突起３を有する面ファスナー部材１、不透水性層１３と係止用突起３に係止される被係止部を有する透水性層１２とが積層された防水シート１１、及び、一方の面に突出部６を有する固定部材４、を準備する工程である。
【００３０】
＜面ファスナー部材＞
面ファスナー部材１は、図１に示すように、多数（複数）の係止用突起３を有している。この面ファスナー部材１は、その係止用突起３により防水シート１１を係止することができる。具体的には、係止用突起３は、防水シート１１を構成する透水性層１２の被係止部を引っ掛けて、又はその被係止部に絡んで、防水シート１１を止める（係止する）ように作用する。こうした係止用突起３を備えた面ファスナー部材１は、面状の係止部材ということができ、透水性層１２の被係止部を面で係止して保持することができる。面ファスナー部材１としては、例えば係止用フックを有したマジックテープ（登録商標）等のシート状部材を挙げることができる。
【００３１】
（係止用突起）
係止用突起３は、面ファスナー部材１の面のうち、防水シート１１に向かい合う側の面に設けられている。こうした係止用突起３は、その面の全面に設けられていてもよいし、任意の位置に部分的に設けられていてもよい。その面のなかで、固定部材４が配置される位置の周囲（すなわち固定部材４が配置される箇所の近傍）に少なくとも設けられていることが好ましい。そうした位置の周囲に少なくとも設けられた係止用突起３は、後述する係止工程で、防水シート１１の上から触感によって固定部材４の突出部６を探し当てたとき、その周囲の係止用突起３に防水シート１１を容易に押し当てて係止することができる。特に、係止用突起３が面ファスナー部材１の全面に設けられていれば、固定部材４をどこに配置しても必ずその周囲に係止用突起３が設けられていることになるので好ましい。その結果、固定部材４を後述する配置工程で自由な位置に配置することができる。なお、係止用突起３は、面ファスナー部材１の両面に設けられてもよい。
【００３２】
なお、図４の例では、面ファスナー部材１の係止用突起３を省略しているが、図１（Ａ）（Ｂ）に示すように、面ファスナー部材１の両面のうち、少なくとも被敷設体２１に接する側の面の反対面（すなわち防水シート１１に接する側の面）には、係止用突起３が形成されている。
【００３３】
係止用突起３は、単一種であってもよいし、大きさや形状が異なる複数種であってもよい。係止用突起３の形状は、防水シート１１を構成する透水性層１２の被係止部を係止できるものであれば特に限定されないが、例えば茸状やフック状が好ましい。これらの中でも茸状の係止用突起３は、防水シート１１（透水性層１２の被係止部）を係止する力が大きいのでより好ましい。
【００３４】
係止用突起３の材質は、例えば、鉄、銅、アルミニウム又はそれらの合金、又はそれらにめっきや化成処理等の表面処理を行った金属材料；エチレン酢酸ビニル共重合体（ＥＶＡ）、ポリ塩化ビニル、ポリエチレン、ポリプロピレン、ポリスチレン、アクリルニトリル−ブタジエン−スチレン（ＡＢＳ）樹脂、アクリルニトリル−スチレン（ＡＳ）樹脂、ポリアミド、ポリアセタール、ポリカーボネート、ポリエチレンテレフタレート、ポリブチレンテレフタレート、ポリフッ化ビニリデン、ポリサルフォン、ポリエーテルサルフォン、ポリフェニレンサルファイド、ポリアリレート、ポリアミドイミド、ポリエーテルイミド、ポリエーテルエーテルケトン、液晶ポリマー、ポリテトラフルオロエチレン等の熱可塑性有機材料；フェノール樹脂、ユリア樹脂、メラミン樹脂、不飽和ポリエステル、エポキシ樹脂、シリコン樹脂、ポリウレタン等の熱硬化性有機材料；等を挙げることができる。係止用突起３は、これらの金属材料、熱可塑性有機材料、熱硬化性有機材料等のうち単一材料で構成されていてもよいし、２以上の同種の材料若しくは異種の材料を複合させて構成されていてもよい。
【００３５】
（構造形態例）
面ファスナー部材１の構造形態の一例として、例えば図１及び図５に示すように、上記した多数（複数）の係止用突起３が基材２に設けられた面ファスナー部材１を挙げることができる。
【００３６】
基材２は、係止用突起３が設けられているものであれば特に限定されない。例えば、一様に形成された板状基材若しくはシート状基材、又は、繊維状にした材料を加工した不織布、織布若しくは編物等（これらを不織布状基材ともいう。）を挙げることができる。また、基材２の大きさ（平面視形状）としては、大きな面積の板状基材やシート状基材でもよいし、それらの板状基材又はシート状基材をカットした帯状基材等であってもよい。
【００３７】
基材２の材質としては、上記した係止用突起３の材質と同様の金属材料、熱可塑性有機材料、熱硬化性有機材料等を挙げることができる。基材２は、これらの金属材料、熱可塑性有機材料、熱硬化性有機材料等のうち単一材料で構成されていてもよいし、２以上の同種の材料若しくは異種の材料を複合させ又は積層させて構成されていてもよい。
【００３８】
基材２に係止用突起３を設ける手段は特に限定されないが、係止用突起３を基材２に一体成形して設けてもよいし、別に形成した係止用突起３を基材２上に接合又は接着等して設けてもよい。また、係止用突起３が形成された布やシート等を基材２に貼り合わせてもよいし、基材２の表面に賦形加工を施して係止用突起３を形成してもよい。
【００３９】
基材２の厚さは、０．５ｍｍ以上、３ｍｍ以下の範囲内であることが好ましい。基材２の厚さが薄すぎると、引張強度や引裂強度等の強度物性が低下することがある。また、基材２の厚さが厚すぎると、加工性が劣ったりコストアップになることがある。
【００４０】
こうした基材２のうち、帯状基材２が好ましく、例えば亜鉛めっき鋼板からなる帯状基材２が好ましい。こうした帯状基材２を用いることにより、図４に示すように、帯状の面ファスナー部材１を得ることができる。
【００４１】
（帯状の面ファスナー部材）
帯状の面ファスナー部材１は、図１（Ｂ）及び図４に示すように、後述する固定部材４で固定された後に防水シート１１を敷設する際、防水シート１１の上から帯状の面ファスナー部材１の長さ方向に複数配置された固定部材４のそれぞれの位置を触感によって探し当てることができるので、帯状の面ファスナー部材１の位置を容易に把握することができる。
【００４２】
面ファスナー部材１の大きさは特に限定されないが、帯状の面ファスナー部材１の場合、その幅は固定部材４の板状部５の幅Ｗと同じ又は略同じであることが好ましい。例えば、帯状の面ファスナー部材１の幅は、１０ｍｍ以上、５０ｍｍ以下の範囲内が好ましい。帯状の面ファスナー部材１の幅が狭すぎる場合には、防水シート１１を係止する面積が小さくなるため、防水シート１１を係止する力が弱くなることがあり、面ファスナー部材１の幅が広すぎる場合には、面ファスナー部材１を被敷設体２１に固定する作業が煩雑になる。
【００４３】
＜防水シート＞
防水シート１１は、図５に示すように、不透水性層１３と透水性層１２とが積層されたシートであり、詳しくは、不透水性層１３と、係止用突起３に係止される被係止部を有する透水性層１２とが積層されたシートである。この防水シート１１は、被敷設体２１に敷設されて、被敷設体２１から漏れ出た水等の液体又は水蒸気等の気体が透過しないように止めるためのシートである。
【００４４】
防水シート１１を構成する不透水性層１３は、被敷設体２１から漏れ出た液体や気体が透過しないように作用し、透水性層１２は、被敷設体２１から漏れ出た液体や気体を吸って、不透水性層１３にまで透過させるように作用する。そして、その透水性層１２は、被係止部を有している。この被係止部は、係止用突起３に係止される構造形態であればよい。なお、こうした透水性層１２は、シート状の透水性シート（不織布、織布、編物等）であってもよく、不透水性層１３は、シート状の不透水性シートであってもよい。透水性シートと不透水性シートとを用いて防水シート１１を構成する場合には、透水性シートと不透水性シートとを貼り合わせて防水シート１１とすることができる。
【００４５】
（透水性層）
透水性層１２は、被係止部を有し、透水性を有する層（又はシート）である。この透水性層１２は、防水シート１１の面のうち面ファスナー部材１に向かい合う側の面に設けられている。そして、透水性層１２の被係止部が面ファスナー部材１の係止用突起３に係止される。
【００４６】
被係止部は、図示しないが、透水性層１２の少なくとも表面に設けられている。この表面は、面ファスナー部材１に向かい合う側の面のことである。「少なくとも表面」としたのは、被係止部がその表面の全面に設けられている場合、面ファスナー部材１設けられた係止用突起３に押し当てられる部分の表面のみに設けられている場合、透水性層１２全体が被係止部である場合、を含むことを意味する。
【００４７】
被係止部の構造形態は、対応する係止用突起３に係止されるものであれば特に限定されず、係止用突起３の形状や大きさ等に応じて任意に選択される。例えば、係止用突起３に引っ掛かって係止される輪（ループ）を設けた形態や、係止用突起３に絡んで係止される不織布、織布又は編物等で構成された形態等を挙げることができる。このうち、不織布、織布又は編物等は、それ自体で透水性と被係止部を備えた透水性層１２（透水性シート）とすることができるので、好ましく適用される。このような被係止部を有する透水性層１２は、防水シート１１が面ファスナー部材１に押し当てられた際に、面ファスナー部材１の係止用突起３に係止される。
【００４８】
透水性層１２の厚さは、３ｍｍ以上、５ｍｍ以下の範囲内が好ましい。透水性層１２の厚さが薄すぎる場合には、面ファスナー部材１の係止用突起３に係止する力が弱くなることがある。一方、透水性層１２の厚さが厚すぎる場合には、防水シート１１の上から触感によって固定部材４の突出部６を探し当てることが難しくなることがあるとともに、防水シート１１が重くなるため、防水シート１１の重量を面ファスナー部材１の係止する力では支えきれず、防水シート１１が剥がれ落ちるおそれがある。
【００４９】
（不透水性層）
不透水性層１３は、透水性が無い又は乏しい層である。この不透水性層１３は、透水性層１２を透過した液体又は気体が、被敷設体２１側の反対側（例えばコンクリート層１５の側）に透過するのを防ぐために設けられる。その液体等は、不透水性層１３の表面に沿って外部に排出されることになる。
【００５０】
不透水性層１３の材質は特に限定されないが、上記した係止用突起３の材質と同様の熱可塑性有機材料や熱硬化性有機材料等を挙げることができる。例えは、エチレン酢酸ビニル共重合体（ＥＶＡ）、ポリ塩化ビニル、ポリエチレン、ポリプロピレン、ポリスチレン、アクリルニトリル−ブタジエン−スチレン（ＡＢＳ）樹脂、アクリルニトリル−スチレン（ＡＳ）樹脂、ポリアミド、ポリアセタール、ポリカーボネート、ポリエチレンテレフタレート、ポリブチレンテレフタレート、ポリフッ化ビニリデン、ポリサルフォン、ポリエーテルサルフォン、ポリフェニレンサルファイド、ポリアリレート、ポリアミドイミド、ポリエーテルイミド、ポリエーテルエーテルケトン、液晶ポリマー、ポリテトラフルオロエチレン等の熱可塑性有機材料；フェノール樹脂、ユリア樹脂、メラミン樹脂、不飽和ポリエステル、エポキシ樹脂、シリコン樹脂、ポリウレタン等の熱硬化性有機材料；等を挙げることができる。不透水性層１３は、これらの熱可塑性有機材料及び熱硬化性有機材料等のうち単一材料で構成されていてもよいし、２以上の同種の材料若しくは異種の材料を複合又は積層させて構成されていてもよい。
【００５１】
不透水性層１３の厚さは、０．６ｍｍ以上、２ｍｍ以下の範囲内が好ましい。不透水性層１３の厚さが薄すぎる場合には、その上からコンクリート層１５を打設する際に、砕石の落下や飛散により破損し水等が透過してしまうおそれがある。一方、不透水性層１３の厚さが厚すぎる場合には、その上から固定部材４の突出部６を触感によって探し当てることが難しくなることがあり、また、防水シート１１が重くなるため、防水シート１１の重量を面ファスナー部材１の係止する力では支えきれず、防水シート１１が剥がれ落ちるおそれがある。
【００５２】
＜固定部材＞
固定部材４は、図１〜図５に示すように、板状部５と、板状部５の一方の面に設けられた突出部６とを有している。その突出部６は、防水シート１１の上から固定部材４の位置を容易に探し当てることができるように作用する。こうした固定部材４は面ファスナー部材の上に配置されるので、その固定部材４の位置を触感によって容易に探し当てることにより、防水シート１１の上から面ファスナー部材１の位置を正確に把握することができる。
【００５３】
（板状部）
板状部５は、図１〜図５に示すように、後述する固定工程で、面ファスナー部材１を被敷設体２１に固定具７を用いて固定する際の当て板として働く板状の部材である。この板状部５は、後述する固定具７を用いて固定される。
【００５４】
板状部５の材質は、特に限定されないが、上記した面ファスナー部材１の係止用突起３及び基材２の材質と同様の金属材料、熱可塑性有機材料及び熱硬化性有機材料等を挙げることができる。板状部５は、これらの金属材料、熱可塑性有機材料、熱硬化性有機材料等のうち単一材料で構成されていてもよいし、２以上の同種の材料若しくは異種の材料を複合又は積層させて構成されていてもよい。これらの中でも、亜鉛めっき鋼板は、機械的強度、耐食性及びコスト面から好ましく用いることができる。
【００５５】
板状部５の厚さＴは、特に限定されないが、０．３ｍｍ以上、５．０ｍｍ以下の範囲内であることが好ましく、０．４ｍｍ以上、３．０ｍｍ以下の範囲内であることがより好ましい。板状部５の厚さＴが薄すぎると、後述する固定工程で固定具７としてコンクリート釘等を用いた場合、そのコンクリート釘等で面ファスナー部材１及び固定部材４を固定する際に、コンクリート釘等の頭部が打鋲するときの力で抜けてしまうことがある。一方、板状部５の厚さＴが厚すぎると、コンクリート釘等を十分に打ち込むことができず、コンクリート釘等の頭部が板状部５から浮いた状態となり、被敷設体２１に対するコンクリート釘等の引抜き強度が弱くなることがある。また、板状部５の幅Ｗは特に限定されないが、面ファスナー部材が帯状の面ファスナー部材１である場合、その面ファスナー部材１の幅と同じ又は略同じであることが好ましい。例えば、板状部５の幅Ｗは、１０ｍｍ以上、５０ｍｍ以下の範囲内が好ましい。また、板状部５の長さＬも特に限定されないが、５０ｍｍ以上、２００ｍｍ以下の範囲内が好ましい。
【００５６】
板状部５を構成する両面のうち、突出部６が形成される側の面（平坦面）には、係止用突起３を複数設けてもよい。板状部５に設けた係止用突起３は、防水シート１１を係止して保持できる。そのため、防水シート１１の係止を面ファスナー部材１と併せて保持できるので、防水シート１１をより確実に保持することができる。
【００５７】
こうした係止用突起３を板状部５に設ける手段は特に限定されないが、係止用突起３を板状部５に一体成形して設けてもよいし、別に形成した係止用突起３を板状部５上に接合又は接着等して設けてもよい。また、係止用突起３が形成された布やシート等を板状部５に貼り合わせてもよいし、板状部５の表面に賦形加工を施して係止用突起３を形成してもよい。係止用突起３の形状は、上記した面ファスナー部材１の係止用突起３の形状と同様であるので、ここではその説明を省略する。
【００５８】
板状部５の突出部６が形成されない側の面（平坦面）には、上記した透水性層１２の被係止部と同様の被係止部が設けられていてもよい。被係止部を有する板状部５は、面ファスナー部材１の係止用突起３に係止され、面ファスナー部材１に保持される。そのため、そうした板状部５を有する固定部材４は、後述する配置工程で、面ファスナー部材１上に作業性良く配置されて保持される。また、被係止部を有する固定部材４は、面ファスナー部材に保持されるので、上記のように固定具７を用いなくても固定される。そのため、固定部を用いて固定しなくても面ファスナー１上に固定部材４を保持することができる。
【００５９】
（突出部）
突出部６は、図１〜図５に示すように、板状部５の一方の面に形成されている。その一方の面は、後述する配置工程で、板状部５の防水シート１１と向かい合う側の面である。その面に形成された突出部６は、後述する係止工程で、防水シート１１の上から、手で触ることで容易に探し当てることができる。探し当てた突出部６は、防水シート１１の上から、固定部材４の位置を把握するのに利用できる。
【００６０】
突出部６は、図２及び図３に例示するように、様々な形状を挙げることができる。突出部６は、板状部５の端部を折り曲げて又は丸めて形成されていてもよいし（図２（Ａ）〜（Ｅ））、板状部５に一体成形されて形成されていてもよい（図３（Ａ）〜（Ｅ））。また、突出部６は、板状部５と別々に形成された後、板状部５と組み合わせてもよい。
【００６１】
突出部６が、板状部５の端部を折り曲げて又は丸めて形成される場合、突出部６は、板状部５の幅Ｗ方向に垂直な断面を、円形（図２（Ａ））、三角形（図２（Ｂ））、矩形（図２（Ｃ））、扇形（図２（Ｄ））及び弓形（図２（Ｅ））のいずれかとすることができる。また、図示しないが、その断面を半円形、楕円形、平行四辺形、台形及び放射線形のいずれかにしてもよい。このような断面形状の突出部６は、防水シート１１の上からでも触感で容易に探し当てることができる。また、突出部６の断面が、円形、扇形、弓形、半円形、楕円形及び放射線形の場合、突出部６を覆う防水シート１１を傷付けることを抑制できる。突出部６は、板状部５の一方の端部を折り曲げて又は丸めて形成してもよいし、板状部５の両端を折り曲げて又は丸めて、２つ形成してもよい。このように板状部５の端部を折り曲げて又は丸めて形成され突出部６は、形成し易いため、低コストで形成することができる。
【００６２】
突出部６が、板状部５に一体成形されて形成される場合、突出部６は、板状部５の幅Ｗ方向に垂直な断面を、半円形（図３（Ａ））、楕円形（図３（Ｂ））、平行四辺形（図３（Ｃ））、台形（図３（Ｄ））及び放射線形（図３（Ｅ））のいずれかとすることができる。また、図示しないが、その断面を円形、三角形、矩形、扇形及び弓形のいずれかにしてもよい。このような断面形状の突出部６は、防水シート１１の上からでも触感で突出部６を容易に探し当てることができる。また、突出部６の断面が、円形、扇形、弓形、半円形、楕円形及び放射線形の場合、突出部６を覆う防水シート１１を傷付けることを抑制できる。
【００６３】
突出部６の幅は、板状部５の幅Ｗと同じ幅を有することには限定されない。突出部６は、例えば、板状部５側に底面を有する円錐、楕円錐、角錐（例えば三角錐、四角錐等）、円柱、楕円柱又は角柱（例えば三角柱、四角柱等）の形状でもよい。また、突出部６は、板状部５の一方の面に１つ形成されてもよいし、２以上形成されてもよい。
【００６４】
突出部６の材質は特に限定されないが、上記した面ファスナー部材１の係止用突起３及び基材２の材質と同様の金属材料、熱可塑性有機材料及び熱硬化性有機材料等を挙げることができる。突出部６は、これらの金属材料、熱可塑性有機材料、熱硬化性有機材料等のうち単一材料で構成されていてもよいし、２以上の同種の材料若しくは異種の材料を複合又は積層させて構成されていてもよい。これらの中でも、亜鉛めっき鋼板は、機械的強度、耐食性及びコスト面から好ましく用いることができる。
【００６５】
突出部６の高さＨも特に限定されないが、１０ｍｍ以上、５０ｍｍ以下の範囲内が好ましい。高さＨがこの範囲であれば、防水シート１１の上からでも突出部６を探し当て易くなるとともに、高すぎないので、突出部６を覆う防水シート１１を傷付けたり、敷設した防水シート１１表面の凹凸が大きくなり過ぎるのを抑制できる。高さＨが１０ｍｍ未満であると、防水シート１１の上から手で触れたときにその突出部６が分からないことがある。高さＨが５０ｍｍを超えると、敷設した防水シート１１の上からコンクリート層１５を打設する際に、コンクリート層１５に空洞を生じさせる可能性がある。
【００６６】
突出部６の表面には、係止用突起３が複数設けられていてもよい。突出部６に設けた係止用突起３は、防水シート１１をより効果的に係止して保持できる。こうした係止用突起３を突出部６に設ける手段は特に限定されず、上記した板状部５に係止用突起３を設ける場合と同様であるので、ここではその説明を省略する。
【００６７】
［配置工程］
配置工程は、図１（Ａ）に示すように、面ファスナー部材１を被敷設体２１と固定部材４の他方の面とで挟むように、被敷設体２１上に面ファスナー部材１及び固定部材４を配置する工程である。ここで、「他方の面」とは、固定部材４の両面のうち、突出部６が設けられていない側の面である。この配置工程では、被敷設体２１上に、面ファスナー部材１と固定部材４をこの順番で積層して配置する。
【００６８】
面ファスナー部材１の配置は、係止用突起３が形成された面を、被敷設体２１の反対側（すなわち防水シート１１に接する側）に向けて行う。こうして配置した面ファスナー部材１は、必要に応じて被敷設体２１に仮止めしてもよい。この仮止めは、接着剤等で行ってもよいし、又は、両面に係止用突起を設けた面ファスナー部材１を用いた場合には、その面ファスナー部材１の面のうち被敷設体２１側の面の係止用突起を、被敷設体２１又は被敷設体２１上に予め設けた不織布、織布又は編物等に係止させて行ってもよい。なお、仮止めをしなくても位置決めが可能な場合は、仮止めは必要としない。
【００６９】
固定部材４の配置は、固定部材４を構成する突出部６が形成されている側の面を、面ファスナー部材１の反対側（すなわち防水シート１１に接する側）に向けて行う。固定部材４を配置する向きは特に限定されず、例えば、図１に示すように、固定部材４を、突出部６が下側になるように配置してもよいし、図４に示すように、突出部６が上側になるように配置してもよい。なお、固定部材４を構成する突出部６が形成されていない側の面に、上記した透水性層１２の被係止部と同様の被係止部を設けた場合には、この固定部材４の被係止部を面ファスナー部材１の係止用突起３に係止させることができる。こうすることにより、固定部材４を面ファスナー部材１に容易に接合させることができる。
【００７０】
帯状の面ファスナー部材１を用い、その面ファスナー部材１に複数の固定部材４を配置する場合には、図４に示すように、複数の固定部材４を帯状の面ファスナー部材１の長手方向に配置することが好ましい。このように配置することにより、隣り合う複数の固定部材４の間に帯状の面ファスナー部材１が配置されることになる。そして、後述する係止工程で、防水シート１１の上から触感によって探し当てた固定部材４の突出部６の位置から、面ファスナー部材１の位置を容易に把握し、その面ファスナー部材１に防水シート１１を押し当てることができる。すなわち、隣り合う複数の固定部材４の間に面ファスナー部材１が固定されているので、防水シート１１の上から固定部材４を触感によって探し当てることで、複数の固定部材４の間に配置した面ファスナー部材１の位置をより容易に把握できる。
【００７１】
また、帯状の面ファスナー部材１は、図４に示すように、一定間隔で平行に配置することが好ましい。帯状の面ファスナー部材１を平行に配置することにより、一定間隔で面ファスナー部材１が配置されている。その結果、防水シート１１の上からでも、面ファスナー部材１の位置をより容易に把握できる。また、そうした帯状の面ファスナー部材１の両端それぞれに、固定部材４を配置してもよいし、帯状の面ファスナー部材１上に等間隔又は不等間隔で固定部材４を配置してもよい。
【００７２】
被敷設体２１がトンネルの地山又はその地山の表面に形成したコンクリート層である場合、複数の帯状の面ファスナー部材１を、トンネルの周方向又は長さ方向にそれぞれ平行に配置することが好ましい。この態様によれば、トンネルの地山又はその地山の表面に形成したコンクリート層に固定した面ファスナー部材１の位置を、防水シート１１の上から容易に把握できる。その結果、トンネル内の施工に用いる防水シート１１をより作業性良く敷設することができる。
【００７３】
なお、面ファスナー部材１と固定部材４の配置は、面ファスナー部材１と固定部材４とを予め接合した一体化物を用いて行ってもよいし、面ファスナー部材１と固定部材４とをそれぞれ別々に行ってもよい。予め接合した一体化物を用いた場合は、作業性良く配置することができるので好ましい。面ファスナー部材１と固定部材４との接合には、接着剤、かしめ又はステープラー等を用いることができる。
【００７４】
［固定工程］
固定工程は、図１（Ｂ）に示すように、面ファスナー部材１を被敷設体２１に固定する工程であり、詳しくは、被敷設体２１上に配置した面ファスナー部材１を、固定部材４及び固定具７を用いて被敷設体２１に固定する工程である。
【００７５】
固定部材４の板状部５は、面ファスナー部材１を被敷設体２１に固定する際の当て板として働く。その板状部５が固定具７で被敷設体２１に打ち込まれる又はねじ込まれる等して固定されることにより、固定部材４が被敷設体２１に固定され、その結果、面ファスナー部材１が被敷設体２１に固定される。このように、面ファスナー部材１の当て板として働く固定部材４が用いられるので、不織布、織布若しくは編物等の不織布基材等のような剛性が低い基材２を有した面ファスナー部材１であっても、被敷設体２１に固定することができる。
【００７６】
固定具７は、板状部５と面ファスナー部材１とを貫通するものであればよく、例えば釘やボルト（アンカーボルト等を含む）等を用いることができる。被敷設体２１がトンネルの地山又はその地山の表面に形成したコンクリート層である場合には、固定具７は、コンクリート釘が好ましい。こうした固定具７で板状部５と面ファスナー部材１とを貫通させることにより、面ファスナー部材１を被敷設体２１に固定することができる。
【００７７】
固定具７を用いた面ファスナー部材１の固定は、通常、上記した配置工程で、固定部材４を面ファスナー部材１上に配置するたびに行う。固定部材４を面ファスナー部材１上に配置するたびに固定することにより、配置工程と固定工程とが繰り返し行われることになり、面ファスナー部材１を被敷設体２１に順次固定することができる。なお、その被敷設体２１の形状によっては、全ての面ファスナー部材１と固定部材４と被敷設体２１に配置した後に、固定具７を用いて面ファスナー部材１を固定してもよい。
【００７８】
［係止工程］
係止工程は、図１（Ｃ）に示すように、防水シート１１を面ファスナー部材１に押し当てて防水シート１１の被係止部を面ファスナー部材１に係止する工程である。具体的には、この係止工程では、防水シート１１を構成する透水性層１２の側の面を面ファスナー部材１に押し当て、その面ファスナー部材１に設けられている係止用突起３で、その透水性層１２の被係止部を引っ掛けて、又はその被係止部に絡んで、防水シート１１を止める（係止する）工程である。
【００７９】
面ファスナー部材１の位置は防水シート１１の上から触感によって探し難いが、固定部材４が備える突出部６は、防水シート１１の上から触感によって容易に探し当てることができる。そのため、この係止工程では、触感で探し当てた突出部６の位置から、面ファスナー部材１の位置を把握して、防水シート１１を面ファスナー部材１に押し当てることができる。
【００８０】
なお、上記したように、固定部材４にも係止用突起が設けられている場合には、面ファスナー部材１の係止用突起３での係止と併せて、固定部材４でも防水シート１１を係止することができるので好ましい。
【００８１】
［コンクリート層打設工程］
コンクリート層打設工程は、図５に示すように、上記した係止工程の後に、被敷設体２１に敷設した防水シート１１の上にコンクリート層１５を設ける工程である。
【００８２】
防水シート１１を設けた被敷設体２１がトンネルの地山である場合、防水シート１１の上に設けるコンクリート層１５は、一次覆工コンクリート層として打設される。また、防水シート１１を設けた被敷設体２１がトンネルの地山の表面に形成したコンクリート層（一次覆工コンクリート層）である場合、防水シート１１の上に設けるコンクリート層１５は、二次覆工コンクリート層として打設される。これらの場合に、被敷設体２１とコンクリート層１５との間に敷設された防水シート１１は、被敷設体２１側からの湧水等がコンクリート層１５側に漏水するのを止めるように作用する。
【００８３】
以上説明したように、本発明に係る防水シート１１の敷設方法は、面ファスナー部材１を、一方の面に突出部６を有した固定部材４を用いて固定するので、その突出部６によって防水シート１１の上から触感によって固定部材４の位置を容易に探し当てることができる。そのため、防水シート１１の上から面ファスナー部材１の位置を容易に把握することができるので、防水シート１１を面ファスナー部材１に正確に押し当てることができる。その結果、防水シート１１を作業性良く被敷設体２１に敷設することができる。
【符号の説明】
【００８４】
１  面ファスナー部材
２  基材
３  係止用突起
４  固定部材
５  板状部
６  突出部
７  固定具
１１  防水シート
１２  透水性層
１３  不透水性層
１５  コンクリート層
２１  被敷設体
【図１】
2014058827.tif 000003
【図２】
2014058827.tif 000004
【図３】
2014058827.tif 000005
【図４】
2014058827.tif 000006
【図５】
2014058827.tif 000007